(57)【要約】【課題】平常時には、容易に携帯しながら一つのイヤピースを用いて音声信号を受信することができ、必要によってはさらに備えられているイヤピースを用いることによって、使用者の好みに合わせて音楽などの音信号をステレオで聴くことができるヘッドセットを提供する。【解決手段】携帯用端末機と通信可能となるように構成されたヘッドセットにおいて、外部には複数のキーボタンが備えられ、一側には取付溝が形成されるメインボディーと、メインボディーの一側に固定設置されるメインイヤピースと、取付溝に有線ケーブル又は無線で着脱可能に設けられるサブイヤピースとを含める。【選択図】図１
2008193688.tif 000002
【特許請求の範囲】
【請求項１】
携帯用端末機と通信可能に構成されたヘッドセットにおいて、外部には複数のキーボタンが備えられ、一側には取付溝が形成されるメインボディーと、
このメインボディーの一側に固定設置されるメインイヤピースと、
前記取付溝に有線ケーブル又は無線で着脱可能に設けられるサブイヤピースとを含めることを特徴とするヘッドセット。
【請求項２】
前記サブイヤピースが、有線ケーブルによりメインボディーと連結される場合、前記メインボディー内部にはケーブルを巻き取るための巻取手段が設けられることを特徴とする請求項１に記載のヘッドセット。
【請求項３】
前記メインボディーの内部には前記巻取手段と連結され、正逆回転するモータが含まれていることを特徴とする請求項２に記載のヘッドセット。
【請求項４】
前記取付溝にはサブイヤピースの引出しのための把持溝がさらに形成されていることを特徴とする請求項１に記載のヘッドセット。
【請求項５】
携帯用端末機と無線通信が可能となるように無線通信モジュールを備えたヘッドセットにおいて、
前記無線通信モジュールを内部に収容し、外部には複数のキーボタン及びマイクロホンが備えられ、一側には取付溝が形成されるメインボディーと、
このメインボディーの一側に固定設置されるメインイヤピースと、
前記取付溝に有線ケーブル又は無線で着脱可能に設けられるサブイヤピースとを含めることを特徴とするヘッドセット。
【請求項６】
前記サブイヤピースが有線ケーブルにより無線通信モジュールと電気的に連結され、前記メインボディー内部には前記ケーブルを巻き取るための巻取手段が設けられることを特徴とする請求項５に記載のヘッドセット。
【請求項７】
前記取付溝にはサブイヤピースの引出しのための把持溝がさらに形成されていることを特徴とする請求項５に記載のヘッドセット。
【請求項８】
携帯用端末機と通信可能に構成されたヘッドセットにおいて、
外部には複数のキーボタン及びマイクロホンが備えられ、一側に取付溝が形成されているメインボディーと、
前記メインボディーの一側に固定設置されるメインイヤピースと、
前記メインボディーとケーブルにより有線連結され、前記取付溝に着脱可能に設けられるサブボディーと、
前記サブボディーの一側に固定設置されるサブイヤピースとを含めることを特徴とするヘッドセット。
【請求項９】
前記メインボディー及び前記サブボディーのそれぞれの内部には前記ケーブルを巻き取るための巻取手段が設けられていることを特徴とする請求項８に記載のヘッドセット。
【請求項１０】
前記メインボディーの内部には前記巻取手段と連結され、正逆回転するモータが含まれていることを特徴とする請求項９に記載のヘッドセット。
【請求項１１】
前記取付溝にはサブボディーの引出しのための把持溝がさらに形成されていることを特徴とする請求項８に記載のヘッドセット。
【請求項１２】
前記取付溝の内側には、前記サブボディーが前記取付溝に取り付けられる場合に前記サブイヤピースが挿着されるための挿入溝がさらに設けられていることを特徴とする請求項８に記載のヘッドセット。
【請求項１３】
携帯用端末機と通信可能に構成されたヘッドセットにおいて、
外部には複数のキーボタン及びマイクロホンが備えられるメインボディーと、
前記メインボディーの一側に固定設置されるメインイヤピースと、
前記メインボディーとケーブルにより有線連結され、一側に取付溝が形成されるサブボディーと、
前記サブボディーとケーブルにより有線連結され、前記取付溝に着脱可能に設けられるサブイヤピースとを含めることを特徴とするヘッドセット。
【請求項１４】
前記サブボディーの内部には前記ケーブルを巻き取るための巻取手段が設けられていることを特徴とする請求項１３に記載のヘッドセット。
【請求項１５】
前記取付溝にはサブイヤピースの引出しのための把持溝がさらに形成されていることを特徴とする請求項１３に記載のヘッドセット。
【請求項１６】
携帯用端末機と通信可能に構成されたヘッドセットにおいて、
外部には複数のキーボタン及びマイクロホンが備えられ、一側にはポートが設けられるメインボディーと、
前記メインボディーの一側に固定設置されるメインイヤピースと、
一側に前記ポートに挿入接続されるコネクターが設けられ、前記コネクターに干渉しない他側に取付溝が形成されるサブボディーと、
前記サブボディーとケーブルにより有線連結され、前記取付溝に着脱可能に設けられるサブイヤピースとを含めることを特徴とするヘッドセット。
【請求項１７】
前記サブボディーの内部には前記ケーブルを巻き取るための巻取手段が設けられていることを特徴とする請求項１６に記載のヘッドセット。
【請求項１８】
前記取付溝にはサブイヤピースの引出しのための把持溝がさらに形成されていることを特徴とする請求項１６に記載のヘッドセット。
【請求項１９】
前記ヘッドセットは、携帯用端末機と無線通信が可能となるように前記メインボディーの内部に無線通信モジュールが含まれることを特徴とする請求項８、１３及び１６のうち、何れかの一項に記載のヘッドセット。
【発明の詳細な説明】
【技術分野】
【０００１】
本発明は、別途のイヤピースをさらに備え、必要に応じて選択的に着用可能にすることによって受信感度を向上させることができるようにしたヘッドセットに関する。
【背景技術】
【０００２】
携帯用端末機と通信可能になっている従来のヘッドセットの一種類には、二つのヘッドホンユニットが設けられ、且つ、ユニット間連結構造が備えられているが、ヘッドセットを頭部にかけるヘッドホン型と、首の後ろから掛けられるバックホン型とがあり、これらヘッドセットは、一側のヘッドホンユニットにマイクロホンがさらに設けられたりする。
【０００３】
しかしながら、前述したヘッドホン型とバックホン型のヘッドセットは、嵩張るため、携帯及び保管に不向きであった。このため、従来からよく用いられている他の種類のヘッドセットは、使用者の耳介に掛けたり、服にピンで固定する形で簡単に携帯、使用することが可能となるように一つのイヤピースが備えられていることが一般的であった。
【０００４】
最近、近距離におかれているコンピュータと周辺機器、移動端末機とコンピュータ、家電製品などを相互無線ネットワークにて連結し、機器間を連結するための複雑な電線がなくても両方向リアルタイム通信を可能にする近距離無線通信標準としてブルートゥース(Ｂｌｕｅｔｏｏｔｈ、商標登録)が採択され、これを具現したモジュールが小片(ＣＨＩＰ)状に普及されながら、コンピュータや家電製品の他にもＩＭＴ-２０００と代表される３世帯デジタル移動通信の重要な構成要素として浮上している。
【０００５】
即ち、ブルートゥース(Ｂｌｕｅｔｏｏｔｈ)は、エリクソン、ノキア、インテル、東芝、ＩＢＭなどの５社が中心となり１９９８年にブルートゥースＳＩＧ(Special Interest Group)というコンソーシアムを形成しながら、公開的な標準として提案された近距離無線通信のためのプロトコルであって、ブルートゥースは、近距離無線通信において従来の赤外線標準(ＩｒＤＡ)を代替するレベルに至っている。
【０００６】
斯かるブルートゥースは、最近、携帯電話に搭載される比重が増えつつあり、且つ、ブルートゥース搭載の携帯電話でできる機能のうち、最も代表的なものが、ブルートゥースヘッドセットとの音声通話機能である。これは、ブルートゥースにデータ通信用チャンネル(ＡＣＬ)の他に別途の音声通話チャンネル(ＳＣＯ)が内蔵されているから可能な機能であって、無線ＬＡＮのような他の無線通信規格にはない機能である。
【０００７】
ブルートゥースヘッドセットの一般的な使用法は、先ず、携帯電話と、ペアリングという一連の作業を通じて二つの装置に互いに相手側の連結情報を保存しておいた後、携帯電話に電話がかかってきた場合、携帯電話のベル音が鳴らすと同時にペアリングされているブルートゥースヘッドセットから電話が来たこと知らせるリング信号が鳴らす。この時、使用者は、ブルートゥースヘッドセットにある通話ボタンを押すだけで携帯電話を手に持つことなく、鞄や服の内に入れてあるままブルートゥースヘッドセットを通じて音声通話を行うことができる。携帯電話で電話をかけたい場合にも携帯電話の通話ボタンを押したり、ブルートゥースヘッドセットの通話ボタンを押すことによって、通話を試みることができる。
【０００８】
従来のヘッドセットは、前述したように小型化、軽量化のために一つのイヤピースを備えることが一般的であった。しかし、この場合、音楽ファイルを再生したり、又は音声通話を行ったりする際、何れかの一方の耳にのみイヤピースを着用することになるので、周辺状況やその他の要因により明瞭な音質確認が難しくなり、音楽聴取、ＤＭＢ受信、映画鑑賞など、ステレオで聴く必要があるコンテンツには不向きであった。
【発明の開示】
【発明が解決しようとする課題】
【０００９】
本発明は、前記問題に鑑みて成されたものであって、ヘッドセットを小型化、軽量化すると共に、片方の耳ばかりでなく、必要に応じて両耳孔にイヤピースを差し込んで作動し得るようにすることによって、選択的にステレオモードの受信を可能にする。
【課題を解決するための手段】
【００１０】
本発明によるヘッドセットは、携帯用端末機と通信可能となるように構成されたヘッドセットにおいて、外部には複数のキーボタンが備えられ、一側には取付溝が形成されるメインボディーと、前記メインボディーの一側に固定設置されるメインイヤピースと、前記取付溝に有線ケーブル又は無線で着脱可能に設けられるサブイヤピースとを含める。
【発明の効果】
【００１１】
以上で述べたように、平常時には、ヘッドセットを容易に携帯しながら一つのイヤピースを用いて音声信号を受信することができ、必要によってはさらに備えられているイヤピースを用いることによって、使用者の好みに合わせて音楽などの音信号をステレオで聴くことができる。
【発明を実施するための最良の形態】
【００１２】
以下、本発明の望ましい実施例によるヘッドセットの構成について、添付図面に基づいて詳細に説明する。
【００１３】
図１ないし図５では、本発明の第１実施例によるヘッドセットに関して示している。本発明の第１実施例によるヘッドセット１は、携帯用端末機と通信可能に構成されたものであって、外部には複数のキーボタンが備えられ、一側には取付溝５が形成されるメインボディー１０、このメインボディー１０の一側に固定設置されるメインイヤピース１１、前記取付溝５に有線ケーブル２又は無線で着脱可能に設けられるサブイヤピース２１を包含することを特徴とする。
【００１４】
また、携帯端末機と無線通信可能となるようにブルートゥースモジュール１３を備えたものであって、前記ブルートゥースモジュール１３を内部に収容し、且つ、外部には複数のキーボタン及びマイクロホンが備えられ、一側には取付溝５が形成されるメインボディー１０、このメインボディー１０の一側に固定設置されるメインイヤピース１１、前記取付溝５に有線又は無線で着脱可能に設けられるサブイヤピース２１を含めることを特徴とする。
【００１５】
図１及び図２に示したように、本発明の一実施例によるヘッドセット１は使用者の好みに合わせて多角形又は一定曲形を有するように形成されたメインボディー１０を持つ。
【００１６】
メインボディー１０の後方縁部には、図示されていないが、複数のキーボタンが備えられる。例えば、オン/オフボタン、一時停止ボタン、ＭＰ３プレーヤーの機能を持っている場合は、再生、停止など様々なボタンが設けられ得る。
【００１７】
そして、メインボディー１０の下側には、携帯電話、ＭＰ３プレーヤーなどのような携帯用端末機Ｔに連結されるようにケーブル２ａが備えられる。 
【００１８】
一方、メインボディー１０の一側面には使用者の耳に着用し得るようにメインイヤピース(ｅａｒ  ｐｉｅｃｅ)１１が設けられ、このメインイヤピース１１に干渉しないようにメインボディー１０のいずれかの一部分にはメインイヤピース１１の他に別のサブイヤピース２１が備えられる。
【００１９】
サブイヤピース２１は、ケーブル２によりメインボディー１０と有線連結され、ヘッドセット１の携帯又は着用時、サブイヤピース２１が外部に突き出されることを防止するようにメインボディー１０の適所にはサブイヤピース２１が取り付けられるような充分な深さと幅を持つ取付溝５が形成されることが望ましい。
【００２０】
この際、取付溝５の内周面には、使用者が容易に指でサブイヤピース２１を把持し、引き出すことができるように、少なくとも一つ以上の把持溝６が円弧状に形成されることが好ましい。
【００２１】
そこで、メインボディー１０が携帯用端末機Ｔに有線ケーブル２ａにより連結され、サブイヤピース２１もやはりメインボディー１０に有線ケーブルにより連結されるので、メインボディー１０内には別途のバッテリー装着を必要としない。
【００２２】
一方、メインボディー１０の内部にはブルートゥースモジュール１３が備えられることが可能であり、この場合、ブルートゥース機能付きの携帯用端末機とは無線通信が可能となるから、図１に図示の携帯用端末機Ｔとメインボディー１０との間の連結ケーブル２ａは省略することができる。
【００２３】
この場合、メインボディー１０と携帯用端末機Ｔは、相互間にブルートゥースモジュールによる無線通信方式により信号を疎通するため、メインボディー１０内には別途のバッテリー(図示せず)を装着しなければならない。それに、バッテリーを装着した位置のメインボディー１０にはバッテリーカバー(図示せず)を開閉可能に設置し、必要に応じてバッテリーを交換可能にすることが好ましい。
【００２４】
ブルートゥースモジュール１３は、図３に示すように、外部の端末機から音信号を受信する受信部、受信された音信号の変調モードを識別し、識別された変調モードに対応する最適の復調モードを決定する復調部、復調された音信号を出力する出力部及び通話接続要請信号が受信される場合、音信号として電話通話と音声信号のみを選択的に受信するように受信部を制御するスイッチング部を含める。
【００２５】
また、前記ブルートゥースモジュール１３には信号要請を認知した使用者により信号連結が試みられる場合、ヘッドセット１と端末機間の両方向電話通話が可能となるように制御する通話制御部が包含され得る。これにより、ブルートゥース機能を支援する端末機からブルートゥース方式により自由なところで音楽データを再生していながら、通話信号音を認知するようになれば、通話制御部の制御によって自由に音楽再生を止め、通話することができるようになっている。
【００２６】
この際、メインボディー１０の内部には高感度マイクロホン装置(図示せず)が備えられ、使用者の音声を相手側に伝達することができる。しかし、これに限らず、マイクロホン装置はメインボディー１０から一定の長さで延出されるマイクアームの端部に設けられ、使用者の口辺りにさらに近づけるように構成されることができる。
【００２７】
一方、上記実施例は、サブイヤピース２１が有線ケーブル２によりメインボディー１０(又はブルートゥースモジュール１３)と連結されていることを説明したものであって、この場合、メインボディー１０内にはケーブル２を巻取り及び引出しするためのボビンに螺旋状のバネを通じて弾力的に正/逆連動回転するリール形態で構成された巻取手段３が搭載され、ケーブル２をメインボディー１０内に自動に巻き取るように成し、斯かる巻取手段３は既に多数公知されているから、詳しい説明は略す。
【００２８】
したがって、本実施例によるヘッドセット１は、図４のように、平常時には、一方の耳にメインイヤピース１１を着用しながら、必要となった時には、取付溝５からサブイヤピース２１を引き出し、他方の耳にさらに着用することによって、音声通話時には通話音質を高めることができると共に、音楽やＤＭＢなどを受信する場合にはステレオによる音信号の再生が可能となるから、聴取感度を高めることができる。
【００２９】
図５は、本発明の第２実施例によるヘッドセット１を示したもので、本実施例におけるヘッドセット１は、全体的にその構成が第１の実施例と大同小異である。
【００３０】
但し、第１実施例では、サブイヤピース２１をケーブル２、即ち、有線でメインボディー１０に連結したが、本実施例では無線で連結したのである。
【００３１】
したがって、メインボディー１０の一側面には、サブイヤピース２１が挿着されるように取付溝５が形成され、この時メインボディー１０にはＲＦモジュール(送信器)が設けられる共に、サブイヤピース２１は、ＲＦモジュール(受信器)が設置されているサブボディー２０に装着される。
【００３２】
また、ブルートゥース機能が含まれる場合、サブボディー２０には携帯用端末機(又は携帯用端末機のブルートゥースモジュール１３)から信号を伝達されるか、又はメインボディー１０内に収容のブルートゥースモジュール１３から送信された信号を提供されることができるようにブルートゥースモジュール１３が備えられることも可能である。
【００３３】
この際、前記メインボディー１０とサブボディー２０間の結合力を堅固にすることができるようにメインボディー１０には固定突起１０ａが突出形成される一方、サブボディー２０にはこれに対応する箇所に固定溝２０ａが形成され得る。
【００３４】
一方、前述したように、メインボディー１０が携帯用端末機Ｔに有線ケーブル２ａにより連結されている場合、メインボデイー１０には別途のバッテリーが内蔵していなくても良いが、メインボディー１０がブルートゥースモジュールで携帯端末機Ｔと疎通可能となるように構成されている場合には別途のバッテリーを内蔵する必要がある。同様に、サブイヤピース２１がメインボディー１０とブルートゥースモジュールにより疎通される場合にはサブイヤピース２１が装着されているサブボディー２０にも別途のバッテリーが求められる。
【００３５】
図７ないし図１０では、本発明の３実施例によるヘッドセット１に関して示している。本実施例におけるヘッドセット１は、全体的にその構成が第１実施例と大同小異である。
【００３６】
前述した添付図面における同一参照符号は、同一機能を奏する同一部材を意味する。
【００３７】
本実施例よるヘッドセット１は、携帯用端末機と通信可能に構成されたもので、外部には複数のキーボタン及びマイクロホンが備えられ、一側に取付溝５が形成されるメインボディー１０、メインボディー１０の一側に固定設置されるメインイヤピース１１、メインボディー１０とケーブル２により有線連結され、取付溝５に着脱可能に設けられるサブボディー２０及びサブボディー２０の一側に固定設置されるサブイヤピース２１を包含することを特徴とする。
【００３８】
図７及び図８に示したように、本実施例によるヘッドセット１は、サブボディー２０をさらに包含し、サブボディー２０の一側には使用者の耳に着用することができるようにサブイヤピース２１が設けられる。
【００３９】
サブボディー２０は、メインボディー２０とケーブル２により有線連結され、ヘッドセット１の携帯又は着用時にサブボディー２０がメインボディー１０の外部へ突き出されてしまうことを防止すべく、メインボディー１０にはメインイヤピース１１に干渉しない適所にサブボディー２０が取り付けられるように充分な深さと幅を有する取付溝５が形成されることが望ましい。
【００４０】
さらに、図９に示すように、取付溝５の内側に挿入溝７をさらに形成し、サブボディー２０から突き出されて設けられるサブイヤピース２１が挿着されるようにすることが望ましい。
【００４１】
前述した取付溝５の内周面には使用者が容易に指でサブボディー２０を把持して引き出すことが可能となるように少なくとも一つ以上の把持溝６を円弧状に形成することが望ましい。
【００４２】
図９に示すように、巻取手段３は、第１実施例のようにメインボディー１０の内部に設けられ、またサブボディー２０の内部にも設けられ、メインボディー１０とサブボディー２０とを連結するためのケーブルを、それぞれ設けられている巻取手段３に両分して巻き取ることによって、メインボディー１０の嵩をコンパクトにすることができる。
【００４３】
したがって、本実施例によるヘッドセット１は、図１０に示すように、平常時には、何れかの一方の耳にメインイヤピース１１を着用したうえで用いながら、必要となった時に取付溝５からサブボディー５を離脱せしめ、サブイヤピース２１を他方の耳にさらに着用するようになっている。
【００４４】
図１１ないし図１３では、本発明の第４実施例によるヘッドセット１に関して示している。本実施例におけるヘッドセット１は、全体的にその構成が第３実施例と大同小異である。
【００４５】
前述した添付図面における同一参照符号は、同一機能を奏する同一部材を意味する。
【００４６】
本実施例によるヘッドセット１は、携帯用端末機と通信可能に構成されたものであって、外部には複数のキーボタン及びマイクロホンが備えられるメインボディー１０、メインボディー１０の一側に固定設置されるメインイヤピース１１、メインボディー１０とケーブル２により有線連結され、一側に取付溝５が形成されているサブボディー２０及びサブボディー２０とケーブル２により有線連結され、取付溝５に着脱可能に設けられるサブイヤピース２１を含めることを特徴とする。
【００４７】
図１１及び図１２に示すように、サブボディー２０はメインボディー１０と、そしてサブイヤピース２１はサブボディー２０とそれぞれケーブル２により有線連結される。
【００４８】
図１３に示すように、メインボディー１０とサブボディー２０間を連結するケーブル２及びサブボディー２０とサブイヤピース２１間を連結するケーブル２は、サブボディー２０内に設けられている巻取手段３により全て巻取り又は引出しされる。したがって、第３実施例とは違って、メインボディー１０の内部には巻取手段３を持っていないから、メインボディー１０の嵩を第３実施例のものよりさらに小さくして作製することができる。
【００４９】
一方、図１１及び図１２に示すように、サブイヤピース２１とサブボディー２０とを連結するケーブル２がサブボディー２０内に完全に巻き取られた状態でサブイヤピース２１がサブボディー２０の外部へ突き出されることを防ぐべく、サブボディー２０の一側にはサブイヤピース２１が取り付けられるための取付溝５が形成されることが望ましい。この時、取付溝５の内周面には使用者が指で容易にサブイヤピース２１を把持し、引き出すことができるように少なくとも一つ以上の把持溝６を円弧状に形成することが望ましい。
【００５０】
したがって、本実施例によるヘッドセット１は、平常時には、何れかの一方の耳にメインイヤピース１１を着用したうえで用いながら、必要時にサブボディー２０の取付溝５からサブイヤピース２１を引き出せ、他方の耳にさらに着用して用いることができるようになっている。
【００５１】
図１４ないし図１６では、本発明の第５実施例によるヘッドセット１に関して示している。本実施例におけるヘッドセット１は、全体的にその構成が第４実施例と大同小異である。
【００５２】
前述した添付図面における同一参照符号は、同一機能を奏する同一部材を意味する。
【００５３】
本実施例によるヘッドセット１は、携帯用端末機と通信可能に構成されたものであって、外部には複数のキーボタン及びマイクロホンが備えられ、一側にはポート１２が設けられるメインボディー１０、メインボディー１０の一側に固定設置されるメインイヤピース１１、一側にポート１２に挿入接続されるコネクター２２が設けられ、コネクター２２に干渉しない他側に取付溝５が形成されるサブボディー２０及びサブボディー２０とケーブル２により有線連結され、取付溝５に着脱可能に設けられるサブイヤピース２１を含めることを特徴とする。
【００５４】
図１５及び図１６に示すように、メインボディー１０の一側には携帯用端末機から受信した音信号をメインボディー１０を通じてサブボディー２０に伝えるための信号出力用ポート１２が設けられ、サブボディー２０の一側には前述したポート１２に接続し、信号を受けるようになっているコネクター２２が設けられる。
【００５５】
コネクター２２がポート１２に接続されると、音信号がサブボディー２０に受信され、受信された音信号はサブボディー２０とケーブル２により有線連結されるサブイヤピース２１に伝えられ、出力される。
【００５６】
前述したコネクター２２とポート２１は、それぞれ固定突起、固定溝の役割を奏するとともにサブボディー２０がメインボディー１０に着脱可能であるようになっている。
【００５７】
本実施例は、第３及び第４実施例と違って、メインボディー１０とサブボディー２０がケーブル２により有線連結されるのではなく、ポート１２とコネクター２２との接続結合によりつながるから、メインボディー１０内の巻取手段３は不要となり、メインボディー１０の嵩を、第３実施例のメインボディー１０よりさらに小さくして製作することができる。
【００５８】
サブイヤピース２１は、サブボディー２０とケーブル２により有線連結され、サブボディー２０の内部にはケーブル２を巻取りまたは引出しするための巻取手段３が設けられる。
【００５９】
サブボディー２０の一側には、前述したコネクター２２に干渉しない適所に前述したサブイヤピース２１が着脱され得るための取付溝５が形成され、取付溝５の内周面にはサブイヤピース２１を容易に指で把持し得るように少なくとも一つ以上の把持溝６を円弧状に形成することが望ましい。
【００６０】
したがって、本実施例によるヘッドセット１は、使用方法及び過程が第４実施例と同様である。但し、ステレオモードの使用が不必要な時にはサブボディー２０を離脱させて別に携帯することによって、図３及び図４に比してより小さくて軽いメインボディー１０からなるヘッドセット１を用いることができる。
【００６１】
図６及び図１７では、本発明の第６実施例によるヘッドセット１に関して示している。本実施例によるヘッドセット１は、前述した第１及び第３実施例で述べられたような巻取手段３がメインボディー１０内に設けられる場合において、巻取手段３のボビンにつながり、正逆回転しながらボビンを回転させるモータ４がさらに含まれていることを特徴とする。
【００６２】
モータ４は、メインボディー１０内に設置のバッテリー部(図示せず)及びメインボディー１０の外部に設置の正逆ボタン(図示せず)と電気的に連結され、正逆ボタンを押圧し、バッテリー部からモータ４に電源が印加されると、モータ４が作動し、正逆回転しながら、ボビンを回転させるようになり、これによって両方ボディーを連結するケーブル２が自動に巻取り又は引出しされる。
【００６３】
この際、メインボディー１０内にはケーブル２のガイド役割を奏するロール部４ａがさらに包含され得る。この場合、前述したモータ４に電源が印加される時に共に電源が印加される別個の第２モータ４ｂをロール部４ａに連結し、ロール部４ａを作動させるか、あるいは前述したモータ４とロール部４ａとをベルトやチェーンなどで連結し、前述したモータ４の駆動時にロール部４ａが連動するように成すことによって、ケーブル２がメインボディー１０内で遅滞なく円滑に巻取り又は引出しできるようになっている。
【００６４】
斯かるモータ４は、第３、第４及び第５実施例のようにサブボディー２０の内部に巻取手段３が設けられる場合においても、サブボディー２０の内部で巻取手段３と連結して設けられ得るのは勿論である。
【００６５】
図９、１３及び１６に示すように、第３ないし第６の実施例でもブルートゥースモジュール１３がメインボディー１０内に収容されることができ、この場合、ブルートゥースモジュール１３の構造、機能及びそのほかの特徴に対しては第１実施例と違いはない。但し、サブボディー２０がメインボディー１０とケーブル２により有線連結される実施例では、前記ケーブル２が無線通信モジュールと電気的に連結されるようになり、第５実施例のように、ポート１２とコネクター２２により接続連結される場合にはポート１２がブルートゥースモジュール１３と電気的に連結されるようになる。
【００６６】
本発明の望ましい実施例では、無線通信モジュールにおいて、ブルートゥースモジュール１３を一例に挙げて説明したが、これに限らず、ジグビー(ｚｉｇｂｅｅ)など様々な形態の無線通信モジュールが適用され得る。
【００６７】
本発明は、特許請求範囲で請求している請求の要旨を逸脱しない範囲において当該技術分野における通常の知識を有するものにより様々変形して実施することができるから、本発明の技術保護範囲は、前述した特定の望ましい実施例に限定されるものではない。
【図面の簡単な説明】
【００６８】
【図１】本発明の第１実施例によるヘッドセットを示した斜視図である。
【図２】図１に図示のヘッドセットのサブイヤピースが引き出された状態を示した斜視図である。
【図３】図１に図示のヘッドセットにおいて、無線通信モジュールが含まれたボディーの概略を示した断面図である。
【図４】図１に図示のヘッドセットの使用状態図である。
【図５】本発明の第２実施例によるヘッドセットを示した分解斜視図である。
【図６】図１に図示のヘッドセットにおいて、モータ付きのメインボディーを概略的に示した断面図である。
【図７】本発明の第３実施例によるヘッドセットを示した斜視図である。
【図８】図７に図示のヘッドセットのサブボディーが引き出された状態を示した斜視図である。
【図９】図７に図示のヘッドセットにおいて、無線通信モジュールが含まれたボディーの概略を示した断面図である。
【図１０】図７に図示のヘッドセットの使用状態図である。
【図１１】本発明の第４実施例によるヘッドセットを示した斜視図である。
【図１２】図１１に図示のヘッドセットのサブボディー及びサブイヤピースが引き出された状態を示した斜視図である。
【図１３】図１１に図示のヘッドセットにおいて、無線通信モジュールが含まれたボディーの概略を示した断面図である。
【図１４】本発明の第５実施例によるヘッドセットを示した斜視図である。
【図１５】図１４に図示のヘッドセットのサブボディー及びサブイヤピースが引き出された状態を示した斜視図である。
【図１６】図１４に図示のヘッドセットにおいて、無線通信モジュールが含まれたボディーの概略を示した断面図である。
【図１７】図１４に図示のヘッドセットにおいて、モータ付きのメインボディーを概略的に示した断面図である。
【符号の説明】
【００６９】
１    ヘッドセット
２    ケーブル
３    巻取手段
４    モータ
５    取付溝
６    把持溝
７    挿入溝
１０  メインボディー
１１  メインイヤピース
１２  ポート
１３  ブルートゥースモジュール
２０  サブボディー
２１  サブイヤピース
２２  コネクター
【図１】
2008193688.tif 000003
【図２】
2008193688.tif 000004
【図３】
2008193688.tif 000005
【図４】
2008193688.tif 000006
【図５】
2008193688.tif 000007
【図６】
2008193688.tif 000008
【図７】
2008193688.tif 000009
【図８】
2008193688.tif 000010
【図９】
2008193688.tif 000011
【図１０】
2008193688.tif 000012
【図１１】
2008193688.tif 000013
【図１２】
2008193688.tif 000014
【図１３】
2008193688.tif 000015
【図１４】
2008193688.tif 000016
【図１５】
2008193688.tif 000017
【図１６】
2008193688.tif 000018
【図１７】
2008193688.tif 000019